(57)【要約】      （修正有）【課題】円柱形状の振動体を身体の適所に自在に当てることができる収納袋を提供する。【解決手段】円柱形状の振動体を収納するための円筒形状の本体部２と、本体部の少なくとも一方の端面に設けられ、振動体を本体部のなかに収納するために開閉可能に形成された蓋部３Ａと、本体部の両端面周縁にそれぞれ取り付けられた一端５ａを有する主帯部５と、本体部の各端面において主帯部の一端５ａと対向する位置の周縁にそれぞれ取り付けられた一端６ａを有し、かつ主帯部の結合部位５ｂに結合された結合部位６ｂを有する補助帯部６とを備え、主帯部の一端５ａから結合部位５ｂまでの長さＡが、補助帯部の一端６ａから結合部位６ｂまでの長さＢよりも長い。【選択図】図１
0003210917.tif 000002
【実用新案登録請求の範囲】
【請求項１】
円柱形状の振動体を収納するための円筒形状の本体部と、
前記本体部の少なくとも一方の端面に設けられ、前記振動体を前記本体部のなかに収納するために開閉可能に形成された蓋部と、
前記本体部の両端面周縁にそれぞれ取り付けられた一端を有する主帯部と、
前記本体部の各端面において前記主帯部の一端と対向する位置の周縁にそれぞれ取り付けられた一端を有し、かつ前記主帯部の結合部位に結合された結合部位を有する補助帯部と、
前記主帯部の前記一端から前記結合部位までの長さＡが、前記補助帯部の前記一端から前記結合部位までの長さＢよりも長いことを特徴とする収納袋。
【請求項２】
前記収納袋は、柔軟性樹脂材をメッシュ状に編んで一体に形成されていることを特徴とする請求項１に記載の収納袋。
【請求項３】
前記主帯部および／または前記補助帯部の他端には、前記主帯部および／または前記補助帯部よりも幅の小さい手掛け部が取り付けられていることを特徴とする請求項２に記載の収納袋。
【請求項４】
前記手掛け部は、環状であることを特徴とする請求項３に記載の収納袋。
【考案の詳細な説明】
【技術分野】
【０００１】
本考案は、振動式の健康器具を使いやすくするための収納袋に関する。
【背景技術】
【０００２】
近時、人々の健康志向が高まり、各種の健康器具が生活のなかに採り入れられてきている。そのような健康器具の１つとして円柱形状の振動体が開発されている。かかる振動体は、持ち運び可能なように軽量につくられ、身体鍛錬やマッサージ等の種々の目的に使用される。
【考案の概要】
【考案が解決しようとする課題】
【０００３】
しかしながら、円柱形状の振動体を手や脚を使って支持するのは不安定であり、軽量とはいってもある程度の筋力と持久力が要求されるので、高齢者や障害者等にとっては負担になる場合がある。また、背中側に当てる場合に、壁や椅子の背当てなどを利用して身体との間に円柱形状の振動体を挟み込む必要があり、振動体を自在に身体の適所に接触させることが難しく、落下させるおそれもある。
【０００４】
本考案は上記課題を解決するためになされたものであり、円柱形状の振動体を身体の適所に自在に当てることができる収納袋を提供することを目的とする。
【課題を解決するための手段】
【０００５】
本考案に係る収納袋は、円柱形状の振動体を収納するための円筒形状の本体部と、前記本体部の少なくとも一方の端面に設けられ、前記振動体を前記本体部のなかに収納するために開閉可能に形成された蓋部と、前記本体部の両端面周縁にそれぞれ取り付けられた一端を有する主帯部と、前記本体部の各端面において前記主帯部の一端と対向する位置の周縁にそれぞれ取り付けられた一端を有し、かつ前記主帯部の結合部位に結合された結合部位を有する補助帯部と、前記主帯部の前記一端から前記結合部位までの長さＡが、前記補助帯部の前記一端から前記結合部位までの長さＢよりも長いことを特徴とする。
【考案の効果】
【０００６】
本考案の収納袋によれば、主帯部と補助帯部との協同作用により円柱形状の振動体を身体の適所に安定して当てることができる。とくに本考案の収納袋では、主帯部の長さＡよりも補助帯部の長さＢを短くしているので、振動体が身体に対して一定の向きになり、振動体の同じ面を身体の適所に当てることができるばかりでなく、帯部全体に弛みができ難くなるので、本考案の収納袋を使用することによって見た目のバランスが良くなり、全体として美しいポーズとなる。
【図面の簡単な説明】
【０００７】
【図１】本考案の実施形態に係る収納袋を示す斜視図。
【図２】振動体を収納するときの収納袋を示す分解斜視図。
【図３】振動体を収納した収納袋の一部を拡大して示す斜視図。
【図４】(ａ),(ｂ)は本考案の実施形態に係る収納袋の各種使用例を示す模式図。
【図５】(ａ),(ｂ),(ｃ)は本考案の実施形態に係る収納袋の各種使用例を示す模式図。
【考案を実施するための形態】
【０００８】
以下、添付の図面を参照して本考案の好ましい実施の形態を説明する。
【０００９】
図１に示すように、収納袋10は、円柱形状の振動体20を収納するための円筒形状の本体部2、および本体部2の両端に取り付けられた左右一対の帯部5-9を備えている。収納袋10は、黒、白、灰色、青、赤、ピンク、黄色、緑色、紫色などの各種カラーに着色されたポリエチレンおよびポリプロピレン等の柔軟性を有する軟質樹脂材料からなる網目状のメッシュ生地でつくられている。
【００１０】
収納袋10は、メッシュ生地を縫製および／または熱融着することにより部位ごとに袋状にそれぞれ形成し、さらに袋状に形成した部位同士を縫製および／または熱融着することにより一体に結合してなる一体結合品である。とくに帯部5-9は、伸縮自在で柔軟性に富み、繰り返し引張り負荷に十分に耐えられる耐久性に非常に優れたメッシュ袋の形状に仕上げられている。
【００１１】
本体部2の一方側の端面には開閉可能なファスナー4付きの蓋部3Aが形成されている。また、本体部2の他方側の端面には閉塞した底部3Bが形成されている。蓋部3Aと底部3Bはほぼ同サイズの円形の形状を成している。蓋部3Aのほぼ中央に図３に示すように電源表示マーク12を印刷することができる。この電源表示マーク12の位置を振動体20の電源／モード切替スイッチ（ファンクションボタン）22の位置と対応させることにより、使用者が収納袋10に覆われた振動体の電源スイッチの位置を正確に知ることができ、スイッチの押し間違いがなくなる。
【００１２】
図３に示すようにファスナー4を開方向に引くと、蓋部3Aが開き、図２に示すように本体部2の一方側端面に開口部18があらわれる。この開口部18を介して円柱形状の振動体20を本体部2のなかに出し入れできるようになっている。振動体20の外周面には凹凸パターンが形成されている。
【００１３】
なお、本実施形態ではファスナー4付きの蓋部3Aを本体部2から取り外せないようにしているが、蓋部3A周縁の全周にわたり360度のファスナー4を形成し、蓋部3Aを本体部2から取り外せるようにしてもよい。また、本実施形態では、蓋部3Aを本体部2の一方側の端面のみに形成しているが、他方側の端面にも同様の蓋部を形成してもよい。
【００１４】
図１に示すように、蓋部3Aおよび底部3Bの各外周縁には主帯部5および補助帯部6がそれぞれ縫い付け及び／又は熱融着されている。一対の主帯部5は蓋部3Aと底部3Bとの同じ方位の外周縁にそれぞれ取り付けられている。
【００１５】
また、一対の補助帯部6は、主帯部の一端5aの取付部とは180度方位が異なる対向位置にそれぞれ取り付けられている。これにより両手を左右にひろげるようにして収納袋10を持ったときに、各帯部5,6にねじれが発生せず、また主帯部5と補助帯部6との絡まりが有効に防止される。
【００１６】
また、主帯部5と補助帯部6とは分岐部7において互いに結合されて一体化し、一体化した結合帯部8が形成されている。さらに、結合帯部8の先端（自由端）には環状の手掛け部9が取り付けられている。
【００１７】
主帯部5は左右で実質的に同じ長さであり、また補助帯部6も左右で実質的に同じ長さである。しかし、補助帯部6の長さＢ（補助帯部の一端6aから結合部位6bまでの長さ）は、主帯部5の長さＡ（主帯部の一端5aから結合部位5bまでの長さ）よりも短い。本実施形態では補助帯部6の長さＢを主帯部5の長さＡのほぼ半分の長さとしているが、本考案はこの長さ比率のみに限定されるものではなく、長さＢを長さＡの三分の一から三分の二までの範囲内において長さ比率Ｂ／Ａを種々変えることができる。このように帯部を長短２本の組合せとすることにより、円柱形状の振動体20の同じ面を身体の適所に安定的に当てることができる。
【００１８】
次に、図４と図５を参照して本考案に係る収納袋の種々の使用態様を説明する。
【００１９】
図４の（ａ）に示すように、左右一対の手掛け部9をそれぞれ手で持ち、収納袋10に収納された振動体20を背負い、両手をやや前方に突き出して収納袋の本体部2を身体に引き寄せると、振動体20の好ましい凹凸面が収納袋10を介して両肩に当たり、両肩に心地よい振動が伝わる。
【００２０】
また、図４の（ｂ）に示すように、左右一対の手掛け部9をそれぞれ手で持ち、振動体20を斜めに背負うようにすると、振動体20が背中中央の脊柱部位に当たり、脊柱に心地よい振動が伝わる。
【００２１】
このように使用者は、手掛け部9を左右の手にそれぞれ持ち、向きや角度を変えて背中や肩などに振動体20を好みに応じて自在に当てることができる。
【００２２】
さらに、図５の（ａ）に示すソファに腰かけた姿勢、図５の（ｂ）に示す椅子に腰かけた姿勢、および図５の（ｃ）に示す床に脚を伸ばして座った姿勢など種々様々の姿勢で、左右一対の手掛け部9を結び、振動体20を身体の適所に結束して使用することができる。これにより振動体20の脱落や落下を有効に防止することができる。
【００２３】
上記実施形態の収納袋によれば、主帯部の長さＡよりも補助帯部の長さＢを短くしているため、身体に対する振動体の向きが一定になり、振動体の同じ面を身体の適所に容易に当てることができる。また、帯部全体に弛みができ難くなり、見た目のバランスが良く、全体として美しいポーズをとることができる。
【００２４】
また、上記実施形態の収納袋は、柔軟性樹脂材をメッシュ状に編んで一体に形成しているので、通気性が良く、長時間当てても蒸れにくい。
【００２５】
また、上記実施形態の収納袋は、主帯部よりも幅の小さい手掛け部を形成しているので、持ちやすい。
【００２６】
さらに、上記実施形態の収納袋は、手掛け部を環状にしているので、手を掛けやすく、長時間安定して保持することができる。
【産業上の利用可能性】
【００２７】
本考案の収納袋は、振動体を収納するものであって、身体鍛錬やマッサージに好適に用いられる。
【符号の説明】
【００２８】
2…本体部、3A…蓋部、3B…底部、4…ファスナー、5…主帯部、5a…主帯部の一端、5b…主帯部の結合部位、6…補助帯部、6a…補助帯部の一端、6b…補助帯部の結合部位、7…分岐部、8…結合帯部、9…手掛け部、
10…収納袋、12…電源表示マーク、18…開口部、20…円柱形状の振動体、22…電源／モード切替スイッチ（ファンクションボタン）。
【図１】
0003210917.tif 000003
【図２】
0003210917.tif 000004
【図３】
0003210917.tif 000005
【図４】
0003210917.tif 000006
【図５】
0003210917.tif 000007
【手続補正書】
【提出日】平成29年4月5日(2017.4.5)
【手続補正１】
【補正対象書類名】実用新案登録請求の範囲
【補正対象項目名】請求項１
【補正方法】変更
【補正の内容】
【請求項１】
円柱形状の振動体を収納するための円筒形状の本体部と、
前記本体部の少なくとも一方の端面に設けられ、前記振動体を前記本体部のなかに収納するために開閉可能に形成された蓋部と、
前記本体部の両端面周縁にそれぞれ取り付けられた一端を有する主帯部と、
前記本体部の各端面において前記主帯部の一端と対向する位置の周縁にそれぞれ取り付けられた一端を有し、かつ前記主帯部の結合部位に結合された結合部位を有する補助帯部とを備え、
前記主帯部の前記一端から前記結合部位までの長さＡが、前記補助帯部の前記一端から前記結合部位までの長さＢよりも長いことを特徴とする収納袋。